(57)【要約】【課題】１種類の波座金しか使用せずに部品の種類を削減できると共に、組立て作業も簡単且つ確実にする。【解決手段】台座１等に突設され、一方向のネジ山２１が形成された下側支柱部２と、受座３等から下設され、他方向のネジ山４１が形成された上側支柱部４と、上記各ネジ山２１、４１に螺合可能なネジ溝５１、５２が上、下部に各々形成された回動自在なターンバックル部５と、上記ターンバックル部５の回動位置を規制するための上ナット６及び下ナット７と、これら上ナット６及び下ナット７と、上記ターンバックル部５との間に介在される一方向用バネワッシャ及び他方向用バネワッシャとを備え、上記ターンバックル部５を回動させることで、上記台座１等に対する上記受座３等の高さを調整可能な束体Ａにおいて、上記一方向用バネワッシャ及び他方向用バネワッシャに代えて、１種類の上下に湾曲された環状の波座金８を各々設けたことを特徴とする。【選択図】図１
2005133404.tif 000002
【特許請求の範囲】
【請求項１】
台座等に突設され、一方向のネジ山が形成された下側支柱部と、
受座等から下設され、他方向のネジ山が形成された上側支柱部と、
上記各ネジ山に螺合可能なネジ溝が上、下部に各々形成された回動自在なターンバックル部と、
上記ターンバックル部の回動位置を規制するための上ナット及び下ナットと、
これら上ナット及び下ナットと、上記ターンバックル部との間に介在される一方向用バネワッシャ及び他方向用バネワッシャとを備え、上記ターンバックル部を回動させることで、上記台座等に対する上記受座等の高さを調整可能にした束体において、
上記一方向用バネワッシャ及び他方向用バネワッシャに代えて、上下に湾曲された１種類の波座金を各々設けたことを特徴とする束体。
【請求項２】
請求項１において、
上記波座金は、上記上ナット及び／又は下ナットと一体形成されていることを特徴とする束体。
【請求項３】
請求項２において、
上記波座金は、上記上ナット及び／又は下ナットと回動可能に一体形成されていることを特徴とする束体。
【請求項４】
請求項１〜３の何れかにおいて、
上記波座金は、上下に山波及び谷波が連設された波形状であることを特徴とする束体。
【請求項５】
請求項１〜３の何れかにおいて、
上記波座金は、上下に山波形状又は谷波形状であることを特徴とする束体。
【発明の詳細な説明】
【技術分野】
【０００１】
本発明は、台座等に突設された下側支柱部と、受座等から下設された上側支柱部との間に、両端部に異方向のネジ溝が形成されたターンバックル部を螺合し、このターンバックル部を回動させることで、上記受座等の高さ（上げ下げ量）を調整可能な束体に関する。
【背景技術】
【０００２】
従来の束体では、台座等に突設され、一方向（例えば、左ネジ方向）のネジ山が形成された下側支柱部と、受座等から下設され、他方向（例えば、右ネジ方向）のネジ山が形成された上側支柱部と、上記各ネジ山に螺合可能なネジ溝が上、下部に各々形成された回動自在なターンバックル部と、上記ターンバックル部の回動位置を規制するための上ナット及び下ナットとを備え、上記ターンバックル部を回動させることで、上記台座等に対する上記受座等の高さを調整可能にしたものがあった。（例えば、特許文献１参照。）。
【０００３】
また、図６に示すように、上ナット１０１及び下ナット１０２の戻り防止部材として、上記上ナット１０１とターンバックル部１０３との間に一方向用バネワッシャ１０４（ここでは、「右ネジ用バネワッシャ」として説明する。）を介在させると共に、上記下ナット１０２とターンバックル部１０３との間に他方向用バネワッシャ１０５（ここでは、「左ネジ用バネワッシャ」として説明する。）を介在させた束体１００も知られている。
【特許文献１】特開２００２−７０２２６号
【発明の開示】
【発明が解決しようとする課題】
【０００４】
しかしながら、この上ナット１０１とターンバックル部１０３との間に右ネジ用バネワッシャ１０４を介在させると共に、下ナット１０２とターンバックル部１０３との間に左ネジ用バネワッシャ１０５を介在させたものでは、右ネジ用バネワッシャ１０４及び左ネジ用バネワッシャ１０５という２種類のバネワッシャ１０４、１０５が使用されているため、部品の種類が多くなってしまうという問題があった。
【０００５】
また、右ネジ用バネワッシャ１０４と左ネジ用バネワッシャ１０５は、互換性がないため、仮に、台座１０７等に突設された、例えば、左ネジ方向のネジ山１１８が形成された下側支柱部１０８に、誤って右ネジ用バネワッシャ１０４を介在させてしまうと、下ナット１０２を締め付けた際に、セット不良を生じるという危険がある。
【０００６】
すなわち、２種類のバネワッシャ１０４、１０５が使用されているため、左ネジ用バネワッシャ１０５と右ネジ用バネワッシャ１０４とセット場所を誤って使用する危険があり、組立て作業が困難であった。
【０００７】
さらに、ターンバックル部１０３の端面は、凹凸が形成された粗面であることが多く、その凹所に、左ネジ用バネワッシャ１０５或いは右ネジ用バネワッシャ１０４の切欠断面に形成された段部が引っ掛かり易く、上ナット１０１或いは下ナット１０２の緩み止め効果が減少するという恐れもあった。
【０００８】
また、組立て作業等の効率を高めるために、できるだけ部品点数を減少させたいという要望もある。
【０００９】
本発明は、かかる課題を解決することを目的とするもので、１種類の波座金しか使用せずに部品の種類を削減できると共に、組立て作業も簡単且つ確実にできる束体を提供する。
【課題を解決するための手段】
【００１０】
上記目的を達成するため、
請求項１に係る束体は、台座等に突設され、一方向のネジ山が形成された下側支柱部と、受座等から下設され、他方向のネジ山が形成された上側支柱部と、上記各ネジ山に螺合可能なネジ溝が上、下部に各々形成された回動自在なターンバックル部と、上記ターンバックル部の回動位置を規制するための上ナット及び下ナットと、これら上ナット及び下ナットと、上記ターンバックル部との間に介在される一方向用バネワッシャ及び他方向用バネワッシャとを備え、上記ターンバックル部を回動させることで、上記台座等に対する上記受座等の高さを調整可能にした束体において、上記一方向用バネワッシャ及び他方向用バネワッシャに代えて、上下に湾曲された１種類の波座金を各々設けたことを特徴とする。
【００１１】
このものでは、一方向用バネワッシャ及び他方向用バネワッシャという２種類のバネワッシャを不要とし、１種類の波座金だけで対応しているので、バネワッシャの方向性を気にすることなく、部品の種類を減少でき、組立て作業も簡単且つ確実にできる。
【００１２】
また、一方向用バネワッシャ、他方向用バネワッシャを誤って使用する危険が解消され、バネワッシャのセット不良も防止できる。
【００１３】
さらに、波座金には段部が形成されないため、ターンバックル部の端面が凹凸の形成された粗面であっても、この凹所に上記波座金が引っ掛かる危険がなく、上ナット或いは下ナットの緩み止め効果が減少する危険も防止できる。
【００１４】
請求項２に係る束体は、請求項１において、上記波座金は、上記上ナット及び／又は下ナットと一体形成されていることを特徴とする。
【００１５】
このものでは、波座金は、上ナット及び／又は下ナットと一体形成されているので、部品点数の削減もできる。
【００１６】
請求項３に係る束体は、請求項２において、上記波座金は、上記上ナット及び／又は下ナットと回動可能に一体形成されていることを特徴とする。
【００１７】
このものでは、波座金が、上ナット及び／又は下ナットと回動可能に一体形成されているので、部品点数を削減できると共に、波座金がナットと共回りすることなく、ナットだけを締め付け、高さ調整がスムーズにできる。
【００１８】
請求項４に係る束体は、請求項１〜３の何れかにおいて、上記波座金は、上下に山波及び谷波が連設された波形状であることを特徴とする。
【００１９】
このものでは、波座金が、山波及び谷波が連設された波形状であるので、スプリング効果が強くなり、下ナット或いは上ナットの戻りを確実に防止できる。
【００２０】
請求項５に係る束体は、請求項１〜３の何れかにおいて、上記波座金は、上下に山波形状又は谷波形状であることを特徴とする。
【００２１】
このものでは、波座金が、山波形状又は谷波形状であるので、スプリング効果が強くなり、下ナット或いは上ナットの戻りを確実に防止できる。
【発明の効果】
【００２２】
本発明によれば、次のような効果がある。
請求項１に係る束体によれば、一方向用バネワッシャ及び他方向用バネワッシャという２種類のバネワッシャを不要とし、１種類の波座金だけで対応しているので、バネワッシャの方向性を気にすることなく、部品の種類を減少でき、組立て作業も簡単且つ確実にできる。
【００２３】
また、一方向用バネワッシャ、他方向用バネワッシャを誤って使用する危険が解消され、バネワッシャのセット不良も防止できる。
【００２４】
さらに、波座金には段部が形成されないため、ターンバックル部の端面が凹凸の形成された粗面であっても、この凹所に上記波座金が引っ掛かる危険がなく、上ナット或いは下ナットの緩み止め効果が減少する危険も防止できる。
【００２５】
請求項２に係る束体によれば、波座金は、上ナット及び／又は下ナットと一体形成されているので、部品点数の削減もできる。
【００２６】
請求項３に係る束体によれば、波座金が、上ナット及び／又は下ナットと回動可能に一体形成されているので、部品点数を削減できると共に、波座金がナットと共回りすることなく、ナットだけを締め付け、高さ調整がスムーズにできる。
【００２７】
請求項４に係る束体によれば、波座金が、山波及び谷波が連設された波形状であるので、スプリング効果が強くなり、下ナット或いは上ナットの戻りを確実に防止できる。
【００２８】
請求項５に係る束体によれば、波座金が、山波形状又は谷波形状であるので、スプリング効果が強くなり、下ナット或いは上ナットの戻りを確実に防止できる。
【発明を実施するための最良の形態】
【００２９】
以下、本発明に係る束体Ａを図面に基づき説明する。
【実施例１】
【００３０】
図１は、本発明に係る束体を示す部分断面した概略斜視図、図２は、本発明に係る束体の使用状態を示す概略断面図である。
【００３１】
この束体Ａは、台座１等に突設され、一方向のネジ山２１（本実施例では、左ネジ方向のネジ山とする。）が形成された下側支柱部２と、受座３等から下設され、他方向のネジ山４１（本実施例では、右ネジ方向のネジ山とする。）が形成された上側支柱部４と、左方向のネジ山２１に螺合可能なネジ溝５１が下部に形成されると共に、右方向のネジ山４１に螺合可能なネジ溝５２が上部に形成された回動自在なターンバックル部５と、このターンバックル部５の回動位置を規制するため、右方向のネジ山４１に螺合されるネジ溝６１が内径面に形成された上ナット６と、左方向のネジ山２１に螺合されるネジ溝７１が内径面に形成された下ナット７とを備えている。
【００３２】
そして、ターンバックル部５と上ナット６及びターンバックル部５と下ナット７との間には、１種類の上下に湾曲された環状の波座金８を各々設けて構成されたものである。
【００３３】
以下、各部材について詳説する。
【００３４】
台座１は、土間又は束石・コンクリート基礎などの上に安定して固定される金属製の平板状に形成しており、ここでは、略四角形状に形成しているが、これ以外の多角形状、円形状、楕円形状等であっても構わない。
【００３５】
この台座１の中央には孔１１を開設し、この孔１１に下側支柱部２の下端部を固定し、下側支柱部２を台座１に立設させている。
【００３６】
受座３は、住宅の基礎である大引の下側などに安定して固定すべく、金属製平板を折り曲げて形成され、ここでは、大引の形状に合わせた略Ｌ形状に形成しているが、これ以外のＬ形状、或いは単なる平板状、円形平板状、楕円平板状等であっても構わない。
【００３７】
この受座３の中央には孔３１を開設し、この孔３１に上側支柱部４の上端部を固定し、上側支柱部４を受座４に下設させている。
【００３８】
ターンバックル部５は、金属パイプの上、下を延伸加工して絞り形成され、この上、下部の内径には、各々、右方向のネジ山４１に螺合可能なネジ溝５２及び左方向のネジ山２１に螺合可能なネジ溝５１が形成されている。
【００３９】
上ナット６及び下ナット７には、各々のネジ山２１、４１に螺合されるネジ溝６１、７１を形成しているので、仮に、上ナット６と下ナット７が誤って使用されても、螺合されないので、セット不良の危険が生じることはない。
【００４０】
本発明は、このような構造のターンバックル部５と上ナット６及びターンバックル部５と下ナット７との間には、１種類の上下に湾曲された環状の波座金８を各々設けた点に特徴がある。
【００４１】
この波座金８には、後述のように種々のものがある。
【００４２】
図１で示した波座金８は、環状に形成されたバネ板の一部に切欠部８１を形成すると共に、上下に山波８２及び谷波８３が連設され、全体を波形状ように形成したものである。
【００４３】
なお、切欠部８１の両端同士は、段差は生じていない。
【００４４】
ここで、図３（ａ）〜（ｄ）は、本発明に係る波座金８の様々な構造を示す概略平面図及び概略側面図である。
【００４５】
図３（ａ）は、図１で示した波座金８の構造を示した概略平面図及び概略側面図である。
【００４６】
また、図３（ｂ）は、切欠部８１がなく、完全に連結された環状の波座金８であり、図３（ｃ）は、平面視が円形以外の例（例えば、四角形状）を示した環状の波座金８を例示したものである。
【００４７】
また、図３（ｄ）は、上下に向けて山波形状又は谷波形状である波座金８の一例を示す縦断面図であり、ここでは、環状に形成されたバネ板の内径側を上方に向けて突出させた山波形状に形成されたものを示している。
【００４８】
このように波座金８として、様々な形状、構造のものを採用できるが、何れも、上下の方向性がなく、反転して使用されても同じ作用、効果である点では共通している。
【００４９】
このように構成された本発明に係る束体Ａは、例えば以下の要領で使用する。
【００５０】
ここで、図４（ａ）〜（ｃ）は、本発明に係る束体Ａの使用状態を示す要部拡大図である。
【００５１】
以下、図１、図２、図４に基づき説明する。
【００５２】
先ず、出荷時に組み立てされた束体Ａは、施工現場では、基礎面と大引きの間に設置され、ターンバックル部５を回動して高さ調整をする。そして、大引きの水平をだして、高さ調整を完了する。台座１は基礎面に、受座３は大引きに、ボンドやビス・釘等でそれぞれ固定する。上ナット６、下ナット７をそれぞれ回転し、波座金８を上ナット６（及び下ナット７）と、ターンバックル部５の端面で挟み込み締め上げて、波座金８が圧縮されて平坦状に弾性変形されて上ナット６（及び下ナット７）の戻りを防止する。
【００５３】
このような束体Ａによれば、従来のような一方向用バネワッシャ及び他方向用バネワッシャという２種類のバネワッシャを不要とし、１種類の波座金８だけで対応できるので、バネワッシャの方向性を気にすることなく、部品の種類を減少でき、組立て作業も簡単且つ確実にできる。
【００５４】
また、本発明の波座金８には、上、下の方向性がないため、仮に上、下を誤って使用したり、反転して使用されても同じ作用、効果であるため、上ナット６や下ナット７がセット不良する危険も防止できる。
【００５５】
さらに、波座金８には段部が形成されないため、ターンバックル部５の端面が凹凸の形成された粗面であっても、この凹所に波座金８が引っ掛かる危険がなく、上ナット６或いは下ナット７の緩み止め効果が減少する危険も防止できる。
【実施例２】
【００５６】
図５（ａ）、（ｂ）は、本発明に係る波座金の他の実施例を示す概略断面図である。
【００５７】
ここで、図１〜図４と共通する部位には、同一の番号を付し、その説明は省略する。
【００５８】
図５（ａ）で示す波座金８は、上ナット６（及び／又は下ナット７）と一体形成したものである。
【００５９】
ここでは、環状の波座金８の内径に上ナット６を嵌合し、両者の接合部分を溶接Ｓ等で固定し、上ナット６と波座金８とを一体形成したものを示しており、このようにして波座金８は、上ナット６と一体形成されているので、部品点数の削減ができる。
【００６０】
また、図５（ｂ）で示す波座金８は、上ナット６（及び／又は下ナット７）と回動可能に一体形成したものである。
【００６１】
ここでは、上ナット６の下方外壁に溝６１を周設し、その溝６１に環状の波座金８の内径縁を回動可能に嵌入させたものを示しており、このようにして、波座金８は、上ナット６と回動可能に一体形成されているので、波座金８が上ナット６と共回りすることなく、上ナット６だけを締め付け、高さ調整がスムーズにできる。
【産業上の利用可能性】
【００６２】
本発明は、受座等の高さ（上げ下げ量）を調整可能な束体として有効に利用することが可能である。
【図面の簡単な説明】
【００６３】
【図１】本発明に係る束体を示す部分断面した概略斜視図である。
【図２】本発明に係る束体の使用状態を示す概略断面図である。
【図３】（ａ）〜（ｄ）は、本発明に係る波座金８の様々な構造を示す概略平面図及び概略側面図である。
【図４】（ａ）〜（ｃ）は、本発明に係る束体Ａの使用状態を示す要部拡大図である。
【図５】（ａ）、（ｂ）は、本発明に係る波座金の他の実施例を示す拡大断面図である。
【図６】従来の束体を示す部分断面した概略斜視図である。
【符号の説明】
【００６４】
Ａ    束体
１    台座
２    下側支柱部
２１  一方向のネジ山
３    受座
４    上側支柱部
４１  他方向のネジ山
５    ターンバックル部
５１、５２  ネジ溝
６    上ナット
７    下ナット
８    波座金
８２  山波
８３  谷波
【図１】
2005133404.tif 000003
【図２】
2005133404.tif 000004
【図３】
2005133404.tif 000005
【図４】
2005133404.tif 000006
【図５】
2005133404.tif 000007
【図６】
2005133404.tif 000008